(57)【要約】      （修正有）【課題】パソコン、携帯電話、スマートフォン、タブレットなど映像を再生する端末に依存しないライブ映像の変換・配信システムと、ライブ映像を視聴中にでも、録画されたライブ映像を過去に遡り視聴出来るシステムを提供する。【解決手段】ライブ・録画映像配信システム１では、映像受信部１０で、カメラからの映像信号を受信しライブ映像変換部１１で各種端末で再生可能な映像形式に変換を行いストリーミング形式で配信を行う。同時に、録画映像変換部１２は映像受信部１０からライブ映像を受信し、一定時間ごとに各種端末で再生可能な映像形式に変換し映像記録媒体５０に保存する。閲覧者端末２００からアクセス要求があった場合、要求処理部２０が閲覧者端末２００の端末情報データベース６０を確認し、ライブ映像変換部１１または映像記録媒体５０から、閲覧者端末２００で再生可能な映像形式に変換された録画データを返答する。【選択図】図１
2014233062.tif 000002
【特許請求の範囲】
【請求項１】
ライブ映像情報又は映像ファイルを受信し、各種端末で映像再生の為の専用のアプリケーションを要する事無く再生可能な映像データに変換し、ライブ映像及び同時に録画された映像を閲覧者の指示により遡って配信する方法。
【請求項２】
閲覧者端末で再生可能な映像形式に変換・配信を行う音声付映像変換・配信サーバー装置であって、入力された映像情報を受信する映像受信手段と、受信した映像情報を各種端末で再生可能なライブ映像形式に変換するライブ映像変換手段と、受信した映像情報を各種端末で再生可能な録画映像形式に変換する録画映像変換部と、変換された録画映像を記憶する映像記憶手段と、映像配信要求時に要求応答を行って良いか判断する要求認証手段と、要求認証手段によって認証された閲覧者の端末情報を判断する端末情報判断手段と、閲覧者の要求がライブ映像または録画映像の要求かを処理する要求処理手段と、前記端末情報判断手段、要求処理手段に基づいて、閲覧者端末で再生可能な映像形式でのライブ映像又は録画映像配信手段を具備する事を特徴とする、ライブ・録画映像変換・配信サーバー装置
【請求項３】
閲覧者端末で再生可能な映像形式に映像変換を行う映像変換サーバーと、閲覧者端末からの要求に応じて映像配信を行う映像配信サーバーを具備する音声付映像変換・配信システムであって、前記映像変換サーバーは映像情報を受信する映像受信部と、受信した映像を各種端末で再生可能なライブ映像形式に変換するライブ映像変換部と、受信した映像を各種端末で再生可能な録画映像形式に変換する録画映像変換部と、変換された録画映像を記録する映像記録媒体と、閲覧者が映像配信を受ける為に認証が必要かどうか及び認証に必要な認証情報を記録する認証データベースと、閲覧用端末で再生可能な映像形式情報を記録する端末情報データベースと、配信要求を受けた際に、要求のあった映像へのアクセスに際して、認証が必要かどうかを判断し認証が必要な場合には認証情報の入力画面を表示する要求認証部と、配信要求を受けた際に、ライブ映像又は録画映像のどちらを配信するか、及び、閲覧者端末の情報を基に、前記端末情報データベースを照会して配信する映像形式を選択する要求処理部を有する事を特徴とするライブ・録画映像変換・配信システム
【請求項４】
映像情報を受信する工程と、受信した映像情報を各種端末で再生可能なライブ映像形式に変換する工程と、受信した映像情報を各種端末で再生可能な録画映像形式に変換する工程と、変換された録画映像を映像記録媒体に記録する工程と、閲覧者が映像配信を受ける為に認証が必要かどうかを判断する工程と認証が必要な場合には認証情報の入力画面を表示する工程と、入力された認証情報と認証データベースを照会する工程と、閲覧者端末情報と端末情報データベースを照会する工程と、閲覧者端末情報を基に再生可能な映像形式を判断する工程と、配信要求がライブ映像又は録画映像かを判断する工程を有する事を特徴とするライブ・録画映像変換・配信方法
【請求項５】
ライブ・録画映像変換・配信サーバー装置で受信した映像情報に基づいて音声付映像を変換させる為のプログラムであって、映像情報を受信する工程と、受信した映像情報を各種端末で再生可能なライブ映像形式に変換する工程と、受信した映像情報を各種端末で再生可能な録画映像形式に変換する工程と、変換された録画映像を映像記録媒体に記録する工程と、閲覧者が映像配信を受ける為に認証が必要かどうかを判断する工程と、認証が必要な場合には認証情報の入力画面を表示する工程と、入力された認証情報と認証データベースを照会する工程と、閲覧者端末情報と端末情報データベースを照会する工程と、閲覧者端末情報を基に再生可能な映像形式を判断する工程と、配信要求がライブ映像又は録画映像かを判断する工程をライブ・録画映像変換・配信サーバー装置に実行させる事を特徴とするコンピューター読取可能プログラム
【発明の詳細な説明】
【技術分野】
【０００１】本発明は、パソコン、携帯電話、スマートフォン、タブレットなど映像を再生する端末に依存しないライブ映像の変換・配信システムと、ライブ映像を視聴中にでも、録画されたライブ映像を過去に遡り視聴出来るシステムの為の音声付映像変換方法、音声付映像変換システム、音声付映像変換サーバー装置、音声付映像配信方法、音声付映像配信システム、音声付映像配信サーバー装置および、コンピューター読取可能なプログラムに関する。
【背景技術】
【０００２】従来より、パソコンを利用する又は、スマートフォン上で専用のアプリケーションを利用してライブ及び録画映像を配信するシステムは一般的に利用されており、変換・配信する技術も公知である。【０００３】しかしながら、従来の技術では撮影するカメラの出力する映像信号の種類によっては、変換が出来ず、視聴する端末の種類によっても視聴が出来ない場合や、専用のアプリケーションを利用する場合は、アプリケーション導入の手間や、セキュリティ、プライバシーの問題があり、手軽に利用できない問題がある。
【発明の概要】
【発明が解決しようとする課題】
【０００４】本発明は、パソコン、携帯電話、スマートフォン、タブレットなど映像を再生する端末に依存しないライブ映像の変換・配信システムと、ライブ映像を視聴中にでも、録画されたライブ映像を過去に遡り視聴出来るシステムを提供する事を目的とする。
【課題を解決するための手段】
【０００５】上記課題を解決する為に、本発明の第一の観点では入力された映像情報の形式を判断し、閲覧者端末で再生可能な映像形式の判断に基づき音声付映像を変換する事を特徴とする音声付映像変換方法を提供する。【０００６】本発明の第二の観点では、入力された映像情報に基づいて、前記の閲覧者端末で再生可能な映像形式に変換・配信を行う音声付映像変換・配信サーバー装置であって、入力された映像情報を受信する映像受信手段と、受信した映像情報を各種端末で再生可能なライブ映像形式に変換するライブ映像変換手段と、受信した映像情報を各種端末で再生可能な録画映像形式に変換する録画映像変換部と、変換された録画映像を記憶する映像記憶手段と、映像配信要求時に要求応答を行って良いか判断する要求認証手段と、要求認証手段によって認証された閲覧者の端末情報を判断する端末情報判断手段と、閲覧者の要求がライブ映像または録画映像の要求かを処理する要求処理手段と、前記端末情報判断手段、要求処理手段に基づいて、閲覧者端末で再生可能な映像形式でのライブ映像又は録画映像配信手段を具備する事を特徴とする、ライブ・録画映像変換・配信サーバー装置を提供する。【０００７】本発明の第三の観点では、閲覧者端末で再生可能な映像形式に映像変換を行う映像変換サーバーと、閲覧者端末からの要求に応じて映像配信を行う映像配信サーバーを具備する音声付映像変換・配信システムであって、前記映像変換サーバーは映像情報を受信する映像受信部と、受信した映像を各種端末で再生可能なライブ映像形式に変換するライブ映像変換部と、受信した映像を各種端末で再生可能な録画映像形式に変換する録画映像変換部と、変換された録画映像を記録する映像記録媒体と、閲覧者が映像配信を受ける為に認証が必要かどうか及び認証に必要な認証情報を記録する認証データベースと、閲覧用端末で再生可能な映像形式情報を記録する端末情報データベースと、配信要求を受けた際に、要求のあった映像へのアクセスに際して、認証が必要かどうかを判断し認証が必要な場合には認証情報の入力画面を表示する要求認証部と、配信要求を受けた際に、ライブ映像又は録画映像のどちらを配信するか、及び、閲覧者端末の情報を基に、前記端末情報データベースを照会して配信する映像形式を選択する要求処理部を有する事を特徴とするライブ・録画映像変換・配信システムを提供する。【０００８】本発明の第四の観点では、映像情報を受信する工程と、受信した映像情報を各種端末で再生可能なライブ映像形式に変換する工程と、受信した映像情報を各種端末で再生可能な録画映像形式に変換する工程と、変換された録画映像を映像記録媒体に記録する工程と、閲覧者が映像配信を受ける為に認証が必要かどうかを判断する工程と、認証が必要な場合には認証情報の入力画面を表示する工程と、
入力された認証情報と認証データベースを照会する工程と、閲覧者端末情報と端末情報データベースを照会する工程と、閲覧者端末情報を基に再生可能な映像形式を判断する工程と、配信要求がライブ映像又は録画映像かを判断する工程を有する事を特徴とするライブ・録画映像変換・配信方法を提供する。【０００９】本発明の第五の観点では、ライブ・録画映像変換・配信サーバー装置で受信した映像情報に基づいて音声付映像を変換させる為のプログラムであって、映像情報を受信する工程と、受信した映像情報を各種端末で再生可能なライブ映像形式に変換する工程と、受信した映像情報を各種端末で再生可能な録画映像形式に変換する工程と、変換された録画映像を映像記録媒体に記録する工程と、閲覧者が映像配信を受ける為に認証が必要かどうかを判断する工程と、認証が必要な場合には認証情報の入力画面を表示する工程と、入力された認証情報と認証データベースを照会する工程と、閲覧者端末情報と端末情報データベースを照会する工程と、閲覧者端末情報を基に再生可能な映像形式を判断する工程と、配信要求がライブ映像又は録画映像かを判断する工程をライブ・録画映像変換・配信サーバー装置に実行させる事を特徴とするコンピューター読取可能プログラムを提供する。
【発明の効果】
【００１０】本発明によれば０００３にて記述の問題を解決する、端末に依存せずセキュリティ、プライバシーを考慮したライブ・録画映像変換・配信システムの構築を可能とする。
【発明を実施するための形態】
【００１１】以下、添付図面を参照して、本発明の実施形態について具体的に説明する。
図１は、本発明の一実施形態に関わる音声付映像変換システムの全体構造を示す概略図である。
ライブ・録画映像配信システム１では、映像受信部１０で、カメラからの映像信号を受信しライブ映像変換部１１で各種端末で再生可能な映像形式に変換を行いストリーミング形式で配信を行う。
同時に、録画映像変換部１２は映像受信部１０からライブ映像を受信し、一定時間ごとに各種端末で再生可能な映像形式に変換し映像記録媒体５０に保存する。閲覧者端末２００からインターネット網を通して要求認証部２１にアクセス要求があった場合に認証データベース７０を確認し、認証が必要な場合は、閲覧者端末に認証情報を入力する画面を表示する。入力された認証情報が正しければ、要求処理部２０が閲覧者端末２００の端末情報データベース６０を確認し、ライブ映像変換部１１または映像記録媒体５０から、閲覧者端末２００で再生可能な映像形式に変換された録画データを返答する。映像の再生は端末標準の映像再生機能を利用し、別途映像再生の為のアプリケーション等を利用しない事で、端末に依存しない配信システムを構築する。
【００１２】なお、本発明は上記実施形態に限ることなく種々変更可能である。例えば、上記実施形態ではウェブを用いて音声付映像変換を行う場合について示したが、利用者のコンピューター内のみでの実施等、これに限るものではない。
【図面の簡単な説明】
【００１３】
【図１】本発明の一実施形態に係わるシステムの全体構造を示す概略図
【産業上の利用可能性】
【００１４】本発明によれば、利用者は静止画像や文章のみに比べ訴求力のはるかに高い映像を手軽に広く公開することができるので、ウェブ上でのテレビショッピングや、商品ＰＲ、商品説明等に利用する事ができる。
【符号の説明】
【００１５】  １０：映像受信部
１１：ライブ映像変換部
１２：録画映像変換部
２０：要求処理部
２１：要求認証部
５０：映像記録媒体
６０：端末情報データベース
７０：認証データベース
２００：閲覧者端末
【図１】
2014233062.tif 000003